(57)【要約】【課題】効果的に鳥の飛来を防止でき、且つ風雨に曝されても長持ちし、比較的製作が容易な鳥飛来防止装置を提供すること。【解決手段】１枚又は複数枚の鳥の翼羽根又は尾羽根１の根本部を樹脂材からなる管材に挿入して補強するか又は樹脂材からなるシートを巻付けて補強し、該補強された根本部に複数本の樹脂製の糸状材又は細いテープ状材４の端部を取り付け、該樹脂製の糸状材又は細いテープ状材に小さく切断した鳥の羽根片５又は鳥の小羽根６を貼り付け、補強された根本部端部に吊下部材３を取り付けた鳥飛来防止装置。【選択図】図１
2007060964.tif 000002
【特許請求の範囲】
【請求項１】
１枚又は複数枚の鳥の翼羽根又は尾羽根の根本部を樹脂材からなる管材に挿入して補強するか又は樹脂材からなるシートを巻付けて補強し、該補強された根本部に複数本の樹脂製の糸状材又は細いテープ状材の端部を取り付け、該樹脂製の糸状材又は細いテープ状材に小さく切断した鳥の羽根片又は鳥の小羽根を貼り付け、前記補強された根本部端部に吊下部材を取り付けたことを特徴とする鳥飛来防止装置。
【請求項２】
請求項１に記載の鳥飛来防止装置において、
前記吊り下げ部材又は上下近傍に所定色彩の光沢を有する１個又は複数個の球体を取り付けたことを特徴とする鳥飛来防止装置。
【請求項３】
請求項１又は２に記載の鳥飛来防止装置において、
前記翼羽根又は尾羽根の補強された根本部に長さが少なくとも該翼羽根又は尾羽根の全長より長く且つ所定色彩の光沢を有する複数本の樹脂線材の端部を固定したことを特徴とする鳥飛来防止装置。
【請求項４】
請求項１乃至３のいずれか１項に記載の鳥飛来防止装置において、
前記翼羽根又は尾羽根の補強された根本部に該根本部を挟んで目玉模様を描いた複数枚の円板を目玉模様が外側になるように貼り合わせた構成の目玉模様板を取り付けたことを特徴とする鳥飛来防止装置。
【発明の詳細な説明】
【技術分野】
【０００１】
本発明はゴミ集積所、住居、駅舎、公園、田畑等の所定の場所に、カラスや鳩等の鳥が飛来することによる、ゴミの散乱、糞による汚染、収穫物の食害等の各種害を防止するための鳥飛来防止装置に関するものである。
【背景技術】
【０００２】
従来から、農作物をカラス、鳩、ヒヨドリ等の鳥類の食害から防護するための種々の試みがなされている。例えば、爆発音を発して飛来してきた鳥類を追い出したり、案山子や目玉模様を描いたシートを吊下げたり、貼り付けたりして飛来する鳥類に警戒させ、飛来を防止する試みが多くなされている。また、特許文献１に示すように、螺旋状をした人造の又は自然の線材の少なくとも一端を地上の物体や空中の浮遊物体などに支持し、この螺旋状の線材が風などで揺れたり、動いたりできるようにしたものがある。また、特許文献２に示すように、コンパクトディスクの中心部に黄色部、黒色部、黄色部の目玉模様を形成し、このコンパクトディスクを紐部材で吊下げるようにした物などがある。
【０００３】
上記従来の鳥飛来防止手段は、実施当初は効果があり、鳥は飛来してこないが、日時の経過とともにその効果が減少し続け、やがては全くその効果がなくなるというのが現状である。特に都市部では、ゴミ集積所、住居、駅舎、公園等のカラスや鳩の食害や糞害に悩まされ、種々の飛来防止手段の試みがなされているが、日時の経過とともにその効果が減少し続けるという問題は解決されていない。また、特許文献３に開示するものは、本特許出願人が先に出願し、既に特許査定を得たものである。この鳥飛来防止具は、カラスの飛来防止には効果があるが、他の害鳥、例えば鳩、ヒヨドリ等の飛来防止にはあまり効果がなかった。
【特許文献１】特開平１１−２１５９４６号公報
【特許文献２】特開２００２−３４４２７号公報
【特許文献３】特開２００４−２６７１５６号公報
【発明の開示】
【発明が解決しようとする課題】
【０００４】
本特許出願の発明者は、特許文献３に開示されている鳥飛来防止具の開発から、種々の鳥飛来防止装置を試作し、実験を重ねた結果、飛来防止を防止しようとする鳥の実物の羽根を用い、その鳥が捕獲網等の捕獲物に絡まって脱出できない状態或いは動けない状態或いは死亡したと見られる状況を作り出すことが飛来防止に効果的であることがわかった。また、赤、黄、緑、青等の所定色彩を有する球体、所定光沢を有する糸状体が風等に揺られ、反射光が変化すると、警戒してその場所に近寄らないこともわかってきた。
【０００５】
本発明は上述の点に鑑みてなされたもので、飛来を防止しようとする鳥が警戒する上記物体を組合せ、効果的に鳥の飛来を防止でき、且つ風雨に曝されても長持ちし、比較的製作が容易な鳥飛来防止装置を提供することを目的とする。
【課題を解決するための手段】
【０００６】
上記課題を解決するため請求項１に記載の発明は、１枚又は複数枚の鳥の翼羽根又は尾羽根の根本部を樹脂材からなる管材に挿入して補強するか又は樹脂材からなるシートを巻付けて補強し、該補強された根本部に複数本の樹脂製の糸状材又は細いテープ状材の端部を取り付け、該樹脂製の糸状材又は細いテープ状材に小さく切断した鳥の羽根片又は鳥の小羽根を貼り付け、前記補強された根本部端部に吊下部材を取り付けたことを特徴とする鳥飛来防止装置にある。
【０００７】
請求項２に記載の発明は、請求項１に記載の鳥飛来防止装置において、前記吊り下げ部材又は上下近傍に所定色彩の光沢を有する１個又は複数個の球体を取り付けたことを特徴とする。
【０００８】
請求項３に記載の発明は、請求項１又は２に記載の鳥飛来防止装置において、前記翼羽根又は尾羽根の補強された根本部に長さが少なくとも該翼羽根又は尾羽根の全長より長く且つ所定色彩の光沢を有する複数本の樹脂線材の端部を固定したことを特徴とする鳥飛来防止装置。
【０００９】
請求項４に記載の発明は、請求項１乃至３のいずれか１項に記載の鳥飛来防止装置において、前記翼羽根又は尾羽根の補強された根本部に該根本部を挟んで目玉模様を描いた複数枚の円板を目玉模様が外側になるように貼り合わせた構成の目玉模様板を取り付けたことを特徴とする。
【発明の効果】
【００１０】
請求項１に記載の発明に係る鳥飛来防止装置を鳥の飛来を阻止したいゴミ集積所、住居、駅舎、鳥食害を受け易い農作物を作付している農園等の所定の場所に、取り付けることにより、鳥の飛来防止に著しい効果を発揮した。その確たる理由はわからないが、１枚又は複数枚の鳥の翼羽根又は尾羽根と、樹脂製の糸状材又は細いテープ状材に貼り付けた小さく切断した鳥の羽根片又は鳥の小羽根が、そこに飛来した鳥が捕獲物に捕まって羽根が飛散する程もがいたが、脱出できない状態或いは動けない状態になっていると見られ、飛来するに鳥に警戒感を与えることから、飛来を防止できるものと思われる。また、１枚又は複数枚の鳥の翼羽根又は尾羽根の根本部を樹脂材からなる管材に挿入して補強するか又は樹脂材からなるシートを巻付けて補強し、この補強された根本部に複数本の樹脂製の糸状材又は細いテープ状材の端部を取り付けたので、翼羽根又は尾羽根や数本の糸状材又は細いテープ状材の固定が容易で、且つ風雨にさらされてもこれら翼羽根又は尾羽根や糸状材又は細いテープ状材の脱落を防止できる。
【００１１】
請求項２に記載の発明によれば、吊り下げ部材に所定色彩の光沢を有する１個又は複数個の球体を取り付けたので、飛来する鳥により一層の警戒感を与え、鳥の飛来防止の更なる効果を発揮することが確認できた。
【００１２】
請求項３に記載の発明によれば、補強された根本部に所定色彩の光沢を有する複数本の樹脂線材の端部を固定したので、飛来する鳥により一層の警戒感を与え、鳥の飛来防止の更なる効果を発揮することが確認できた。
【００１３】
請求項４に記載の発明によれば、翼羽根又は尾羽根の補強された根本部に該根本部を挟んで目玉模様を描いた複数枚の円板を目玉模様が外側になるように貼り合わせた構成の目玉模様板を取り付けたので、飛来する鳥により一層の警戒感を与え、鳥の飛来防止の更なる効果を発揮することが確認できた。
【００１４】
また、請求項１乃至４に係る鳥飛来防止装置は、いずれもその構成部材を樹脂材等の耐食性の材料で構成されているから、長期間の使用に耐え、例えば１シーズンの農作物の鳥害期間が過ぎた場合、当該鳥飛来防止装置を保管しておき、翌シーズンに使用することが可能である。また、一部構成部品が損傷した場合でもその部分を補修することにより、使用することが可能となる。
【発明を実施するための最良の形態】
【００１５】
以下、本発明の実施の形態例を図面に基づいて説明する。本実施形態例では、カラスの飛来を防止するカラス飛来防止具について説明するが、本発明に係る鳥飛来防止具は、カラスに限定されるものではなく、例えば食害、糞害を受け易い、ゴミ集積所、住居、駅舎、農園等への各種鳥害を発生させる鳥の飛来を防止するのにも利用できる。
【００１６】
図１は本発明に係るカラス飛来防止装置の構成例を示す図である。図１において、１はカラスの翼羽根又は尾羽根であり、該翼羽根又は尾羽根１の１枚又は複数枚（図では２枚）をその根本部をストロー等の樹脂製パイプに圧挿入して補強すると共に、該補強した補強根本部２の端部に吊下部材３を取り付け、更に補強根本部２に複雑に屈曲する樹脂製の糸状材又は細いテープ状材４を複数本その端部を取り付けている。該糸状材又は細いテープ状材４の夫々には小さく切断した鳥の羽根片５や鳥の小羽根６を貼り付けている。
【００１７】
また、補強した補強根本部２には長さが少なくとも該翼羽根又は尾羽根１の全長より長く、且つ所定色彩の光沢を有する複数本の樹脂線材７の端部を固定されている。更に吊下部材３の上部の球体支持部材１３に所定色彩（赤、黄、緑、青等）の光沢を有する１個又は複数個（図では２）の球体８を取り付けている。吊下部材３の上部は球体支持部材１３を介してフック等の固定部材９に引っ掛けて、本カラス飛来防止装置をカラスの飛来を防止したい位置に吊り下げる。
【００１８】
以下、各部の構成及び製造方法を詳細に説明する。図２は本カラス飛来防止装置の一部の構成（補強根本部２の断面構成）を示す図で、図２（Ａ）は側面図、図２（Ｂ）は正面図である。図示するように、樹脂製で可撓性を有する線状材１０を折り曲げ、その両端部を樹脂製パイプ材１１を貫通させて通し、さらに該線状材１０の両端部をカラスの翼羽根又は尾羽根１の根本部１ａの外周側面に接着材で接着固定する。これにより樹脂製パイプ材１１とカラスの翼羽根又は尾羽根１の根本部１ａは線状材１０により直列に連結される。なお、線状材１０の折り曲げ部１０ａは樹脂製パイプ材１１の上端より突出していて、略半円輪を形成している。この樹脂製パイプ材１１の上端より突出し線状材１０の折り曲げ部１０ａを吊下部材３の下輪３ａに樹脂線材で縛り付ける等して吊下部材３と補強根本部２を結合する。
【００１９】
線状材１０には釣り糸等の樹脂製の線状材を用いると好適である。樹脂製パイプ材１１はその外径がカラスの翼羽根又は尾羽根１の根本部１ａの外径と略同じものを用い、該根本部１ａと樹脂製パイプ材１１を直列に連結したとき、大きな段差が生じないようにする。このように直列に連結された樹脂製パイプ材１１とカラスの翼羽根又は尾羽根１の根本部１ａを樹脂製パイプ１２に挿入する。このとき根本部１ａは樹脂製パイプ１２に圧挿入されることが好ましい。樹脂製パイプ１２の内部に接着材を注入し樹脂製パイプ１２の内周面と樹脂製パイプ材１１及び根本部１ａの外周面の間に接着材を充填し、両者を強固に接着する。なお、樹脂製パイプ１２に変えて、樹脂製シートを樹脂製パイプ材１１及び根本部１ａの外周に巻付けて接着材で接着して補強根本部２を構成してよい。
【００２０】
図３は吊下部材３の構成を示す図であり、図示するように吊下部材３は下輪３ａを上輪３ｂが結合部材３ｃで結合された構成で、上輪３ｂに２個の球体８を取り付けた球体支持部材１３が結合されている。なお、吊下部材３は鉄、アルミ合金等の金属材で表面に耐食処理を施したものを用いると良い。
【００２１】
図４は樹脂製の糸状材又は細いテープ状材４の一例を示す図である。この糸状材又は細いテープ状材４は複雑に屈曲する性質を有することが好ましい。そこでここでは荷造り使用する所定幅を有する樹脂製の荷造用テープ１４を用意し、荷造用テープ１４の端部近傍の所定部分１４ａを除いて、長手方向に切り裂き、この切り裂いた部分を糸状材又は細いテープ状材４としている。そしてこの荷造用テープ１４の引き裂かれない部分１４ａを本カラス飛来防止装置の補強根本部２の外周に巻き付け、固定することにより、多数本の糸状材又は細いテープ状材４が補強根本部２に取り付けている。これにより多数本の糸状材又は細いテープ状材４が絡み合った状態で垂れ下がる。なお、糸状材又は細いテープ状材４の取り付け方法はこれに限定されるものではなく、多数本の糸状材又は細いテープ状材４をその端部を補強根本部２に縛り付け、これが垂れ下がった状態でもよい。
【００２２】
図５は糸状材又は細いテープ状材４に鳥の小羽根６や羽根片５や貼り付けた状態を示す図である。図５（Ａ）では図示すように、鳥の小羽根６を接着材等でテープ状材４に貼り付けている。図５（Ｂ）では図示すように、小さく切断した鳥の羽根片５を接着材等で糸状材又は細いテープ状材４に貼り付けている。このように鳥の小羽根６や羽根片５を複数本の糸状材又は細いテープ状材４に複数個貼り付けることにより、鳥が捕獲物に絡まって小羽根が飛散する程もがいたが、脱出できない状態或いは動けない状態を現出する。
【００２３】
なお、所定色彩の光沢を有する複数本の樹脂線材７の端部を補強根本部２に取り付けることより、図１に示すように構成できるが、図２に示す線状材１０をこの樹脂線材７で兼用させ、該樹脂線材７の折り曲げ部を樹脂製パイプ材１１を通してその上端から突出させ、カラスの翼羽根又は尾羽根１の根本部１ａを外周を通る部分を接着材等で該根本部１ａの外周面に接着するか又は紐等で縛りつけるようにしてもよい。これにより、樹脂製パイプ１１と翼羽根又は尾羽根の根本部１ａは樹脂線材７により連結されることになる。
【００２４】
図６は本発明に係るカラス飛来防止装置の他構成例を示す図である。このカラス飛来防止装置が、図１のカラス飛来防止装置と異なる点は、補強根本部２に目玉模様を描いた目玉模様板１５を設けた点である。図７は目玉模様板１５の構成例を示す図で、図７（Ａ）は正面図、図７（Ｂ）は図７（Ａ）のＡ−Ａ断面図である。目玉模様板１５は図示するように、目玉模様を描いた３枚の円板１５−１、１５−２、１５−３を貼り合わせた構成でその中央部に貫通穴１５−４を設けた構成である。この貫通穴１５−４に補強根本部２を貫通して、接着剤で接着等して３枚の目玉模様を描いた円板１５−１、１５−２、１５−３からなる目玉模様板１５を取り付ける。
【００２５】
円板１５−１、１５−２、１５−３の夫々に、中心部に赤色の略円形領域ａを設け、その回りに同心円状に黄色の帯状域ｂ及び黒色の帯状域ｃを順に設けている。各円板１５−１、１５−２、１５−３は雨等に曝されても損傷しないよう、例えば厚い樹脂板、又は厚紙に樹脂コーティングしたものが望ましい。
【００２６】
上記構成のカラス飛来防止装置の球体８を取り付けた球体支持部材１３を介してカラスの飛来を避けたい所定の領域に設けたフック等の複数の固定部材９に引っ掛けて設置したところ、カラスの飛来防止に抜群の作用効果を発揮することを実験的に確認した。具体的には、カラスの飛来を避けたい特定の場所に本発明に係る飛来防止具を置いた場合、カラスが飛んで来ても降下することなく上空を旋回するだけでやがて飛び去って行くことが何度も確認され、１羽のカラスも降下することがなかった。カラス飛来防止装置においては、使用する羽根は実際のカラスの羽根に限定されるものではなく、養鶏場等で得られる鶏の翼羽根、尾羽根、小羽根をカラスのそれに似せて着色したものを使用しても良いことは確認された。
【００２７】
上記例ではカラスの翼羽根や尾羽根１、小さく切った羽根片５、小羽根６を使用しているが、本発明者は鳩の翼羽根や尾羽根、小羽根を使用して上記と同じ構成の鳩飛来防止装置を製造し、自宅付近の鳩が飛来する場所に設置して実験した結果、飛来を防止することが確認できたが、公園等の公共の場所での実験は行っていないが、このような場所でも飛来防止効果があるものと思われる。ヒヨドリ等にあっても、その鳥と同じ翼羽根や尾羽根、小羽根を使用して、本発明に係る鳥飛来防止装置を製作し、飛来場所が特定できる場所に設置すれば飛来防止の効果を発揮するものと思われる。
【００２８】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２９】
【図１】本発明に係るカラス飛来防止装置の構成例を示す図である。
【図２】本発明に係るカラス飛来防止装置の補強根本部の断面構成を示す図である。
【図３】本発明に係るカラス飛来防止装置の吊下部材の構成を示す図である。
【図４】本発明に係るカラス飛来防止装置の樹脂製の糸状材又は細いテープの構成例を示す図である。
【図５】本発明に係るカラス飛来防止装置の糸状材又は細いテープに羽根片や小羽根を貼り付けた状態を示す図である。
【図６】本発明に係るカラス飛来防止装置の他の構成例を示す図である。
【図７】本発明に係るカラス飛来防止装置の目玉模様板の構成例を示す図で、図７（ａ）は正面図、図７（ｂ）は図７（ａ）のＡ−Ａ断面図である。
【符号の説明】
【００３０】
１      翼羽根又は尾羽根
２      補強根本部
３      吊下部材
４      糸状材又は細いテープ状材
５      羽根片
６      小羽根
７      樹脂線材
８      球体
９      固定部材
１０    線状材
１１    樹脂製パイプ材
１２    樹脂製パイプ
１３    球体支持部材
１４    荷造用テープ
１５    目玉模様板
【図１】
2007060964.tif 000003
【図２】
2007060964.tif 000004
【図３】
2007060964.tif 000005
【図４】
2007060964.tif 000006
【図５】
2007060964.tif 000007
【図６】
2007060964.tif 000008
【図７】
2007060964.tif 000009